(57)【要約】【課題】１つのボタンで所定の映像信号テレビ画面に自動復帰することができるようにしたリモコンを提供することを課題とする。【解決手段】テレビ用リモコン１は、テレビ用の既存のリモコンが出力する操作信号の組合せである組合せ操作信号を、所定のボタンの押下により出力するものであって、所定のボタンを有するとともに、当該所定のボタンが押下された場合に出力信号を出力する押下手段２と、前記出力信号と前記組合せ操作信号とを対応付けて記憶している記憶手段４と、押下手段２の所定のボタンが押下された場合に、記憶手段４から該当する組合せ操作信号を抽出する制御手段３と、抽出された組合せ操作信号をテレビに送信する送信手段５と、を備えることを特徴とする。【選択図】図２
2008271402.tif 000002
【特許請求の範囲】
【請求項１】
映像信号により表示される映像信号テレビ画面から、設定画面、入力切替画面又はＢＭＬ信号により表示されるＢＭＬ信号テレビ画面を表示するように既存のリモコンにより操作したときに、所定のボタンの押下により所定の前記映像信号テレビ画面に復帰させるテレビ用リモコンであって、
前記所定のボタンを備えるとともに、当該所定のボタンが押下された場合に出力信号を出力する押下手段と、
前記出力信号と、前記既存のリモコンが出力する操作信号の組合せである組合せ操作信号とを対応付けて記憶している記憶手段と、
前記押下手段の所定のボタンが押下された場合に、前記記憶手段から該当する組合せ操作信号を読み出す制御手段と、
この制御手段で読み出した組合せ操作信号を前記テレビに送信する送信手段と、
を備えることを特徴とするテレビ用リモコン。
【請求項２】
前記設定画面、前記入力切替画面又は前記ＢＭＬ信号テレビ画面から前記映像信号テレビ画面に復帰するときに、予め設定されたチャンネルの前記映像信号テレビ画面に復帰させるように設定する復帰画面設定手段を備えることを特徴とする請求項１に記載のテレビ用リモコン。
【請求項３】
前記押下手段は、字幕の表示・非表示の切替を行うボタン及び音声出力の切替を行うボタンの少なくとも１つのボタンを更に有することを特徴とする請求項１又は請求項２に記載のテレビ用リモコン。
【発明の詳細な説明】
【技術分野】
【０００１】
本発明は、例えば、操作方法がわからなくなったときに、１つのボタンで所定の映像信号テレビ画面に自動復帰することができるテレビ用リモコンに関する。
【背景技術】
【０００２】
従来、アナログ放送のみを受信するテレビは、所望の番組を、所望の音量又は音質で視聴したり、簡単な画質設定等ができたりする機能を備えていた。そのため、このテレビに付属するテレビ用リモコンは、電源ボタン、チャンネル選択ボタン、音量ボタン、上下左右のカーソルボタン及び決定ボタン等を備えているものが用いられていた。しかし、テレビを中心とした周辺ＡＶ機器（例えば、ビデオ等）が増えるに連れてリモコンの数も増えるため、利用者の操作負担を軽減するために、複数のリモコンの機能を一体化したいわゆるマルチリモコンが一般的に利用されるようになった。かかるマルチリモコンは、前記したボタンに加えて、入力切替ボタンや、再生ボタン、早送りボタン等の多くのボタンを備えたものがある。このようなマルチリモコンの一例として、特許文献１に示されたものが挙げられる。
【０００３】
また、一般の家庭でもデジタル放送が視聴できるようになった今日では、デジタル放送番組に加え、例えば、ニュースや番組情報などを提供するデータ放送やＥＰＧ（Electronic Program Guide）等のデジタル放送特有の便利な機能が利用できるようになり、テレビ用リモコンのボタン数は、さらに増加することとなった。即ち、デジタル放送やデータ放送を視聴することができるリモコンは、前記したボタンに加え、データ放送ボタン、番組表ボタン、戻るボタン等を備えたものがあり、例えば、非特許文献１に示されたものが挙げられる。
【特許文献１】特開２００３−７８７７９（図１）
【非特許文献１】シャープ  AQUOS  ファミリンク  新ファミリモコン  [平成19年3月23日検索]インターネット  （ URL:http://www.sharp.co.jp/familink/control.html）
【発明の開示】
【発明が解決しようとする課題】
【０００４】
しかし、テレビ用リモコンのボタン数が増えると、子供やお年寄り又はＡＶ機器の操作に不慣れな人にとっては操作が複雑になって操作に時間を要したり、操作方法がわからなかったりするという問題があった。
即ち、従来のリモコンは、例えば、設定画面、入力切替画面又はＢＭＬ信号により表示されるＢＭＬ信号テレビ画面から所定の映像信号テレビ画面に復帰させる場合には、それぞれの画面に対応したボタンを押さなければならなかった。即ち、デジタル放送特有の機能も加わったことで、表示される画面は多種多様であるため、その表示画面毎の所定の映像信号テレビ画面への復帰方法を覚えることは非常に困難であり、利用者の操作負担は大きいものであった。また、従来のリモコンは、一つのボタンに対して一つの操作信号しか出力しないため、決められた複数のボタンを決まった順番で押さなければならない場合があり、操作が煩雑であった。
【０００５】
本発明はかかる問題を解決するためになされたものであり、１つのボタンで所定の映像信号テレビ画面に自動復帰することができるようにしたリモコンを提供することを課題とする。
【課題を解決するための手段】
【０００６】
前記課題を解決するための本発明は、映像信号により表示される映像信号テレビ画面から、設定画面、入力切替画面又はＢＭＬ信号により表示されるＢＭＬ信号テレビ画面を表示するように既存のリモコンにより操作したときに、所定のボタンの押下により所定の前記映像信号テレビ画面に復帰させるテレビ用リモコンであって、前記所定のボタンを備えるとともに、当該所定のボタンが押下された場合に出力信号を出力する押下手段と、前記出力信号と、前記既存のリモコンが出力する操作信号の組合せである組合せ操作信号とを対応付けて記憶している記憶手段と、前記押下手段の所定のボタンが押下された場合に、前記記憶手段から該当する組合せ操作信号を読み出す制御手段と、この制御手段で読み出した組合せ操作信号を前記テレビに送信する送信手段と、を備えることを特徴とする。
【０００７】
かかる構成によれば、所定のボタンを押下することにより、操作信号の組合せである組合せ操作信号が送信されるため、設定画面、入力切替画面又はＢＭＬ信号により表示されるＢＭＬ信号テレビ画面から１つのボタンで元の映像信号テレビ画面に自動復帰することができる。
ここで、映像信号画面とは、地上波又は衛星波によって映し出されたテレビ画面をいう。また、ＢＭＬ信号テレビ画面とは、例えばデータ放送などＢＭＬ（Broadcast Markup Language）によって映し出されたテレビ画面をいう。設定画面とは、チャンネル設定画面、画質設定画面など、テレビの各種設定を行う画面をいう。入力切替画面とは、ＤＶＤ、ビデオ、ゲーム機等を映す画面をいう。
【０００８】
また、本発明は、前記設定画面、前記入力切替画面又は前記ＢＭＬ信号テレビ画面から前記映像信号テレビ画面に復帰するときに、予め設定されたチャンネルの前記映像信号テレビ画面に復帰させるように設定する復帰画面設定手段を備えることが好ましい。
【０００９】
かかる構成によれば、映像信号テレビ画面の復帰先チャンネルを設定することができるため、所望の番組に自動復帰することができる。
【００１０】
また、本発明に係る押下手段は、字幕の表示・非表示の切替を行うボタン及び音声出力の切替を行うボタンの少なくとも１つのボタンを更に有することを特徴とする。かかる構成によれば、視聴状態の自動復帰だけでなく、字幕切替や音声切替を行うことができるため、
より利便性を高めることができる。
【発明の効果】
【００１１】
本発明に係るテレビ用リモコンによれば、例えば復帰操作がわからなくなった場合でも、所定のボタンを押下するだけで所定の映像信号テレビ画面に容易に自動復帰することができる。そのため、子供やお年寄りであっても安心してテレビ操作を行うことができる。
【発明を実施するための最良の形態】
【００１２】
[第一実施形態]
本発明の第一実施形態に係るテレビ用リモコンについて図面を参照して詳細に説明する。図１は、第一実施形態に係るテレビ用リモコンを示した概略平面図である。図２は、第一実施形態に係るテレビ用リモコンを示したブロック図である。図３は、第一実施形態に係るテレビ用リモコンを示した回路図である。図４は、テレビ画面の切り替え状態を示した模式図である。
【００１３】
第一実施形態に係るテレビ用リモコン１は、図１に示すように、平面視矩形を呈する本体部Ｇと、本体部Ｇの表面に所定の間隔をあけて並設された３つのボタン（押下手段２）と、本体部Ｇの先端側に備えられた送信手段５とを備えた簡易な外観を呈する。また、テレビ用リモコン１は、図２に示すように、押下手段２の所定のボタンが押下された場合に、所定のプログラムを読み出す制御手段３と、操作信号の組合せなどのプログラムを記憶した記憶手段４とを備えた制御装置Ｓを有する。また、テレビ用リモコン１は、電池（図３参照）によって機能するように形成されている。
【００１４】
押下手段２は、図１及び図２に示すように、第一実施形態においては、第一ボタン２ａ、第二ボタン２ｂ及び第三ボタン２ｃとからなる。押下手段２は、第一実施形態においては、押しボタン式に形成されており、ボタンの表面には、それぞれ番号が記載されている。押下手段２は、利用者がいずれかのボタンを押下することで、制御手段３にそれぞれの出力信号が出力されるように形成されている。
【００１５】
第一ボタン２ａは、一度押下すると所定の映像信号テレビ画面に自動復帰することができるように設定されている。以下、第一ボタン２ａに係る機能を自動復帰機能とする。
第二ボタン２ｂは、トグル機能を備えており、押下することで音声出力の切替ができるように設定されている。音声出力の切替とは、例えば、日本語、英語、日本語及び英語の音声を順次切り替えることができる機能である。以下、第二ボタン２ｂに係る機能を音声切替機能とする。
第三ボタン２ｃは、トグル機能を備えており、押下することで字幕の切替ができるように設定されている。字幕の切替とは、視聴画面に字幕を表示させたり、非表示にしたりする機能である。以下、第三ボタン２ｃに係る機能を字幕切替機能とする。
【００１６】
第二ボタン２ｂ及び第三ボタン２ｃは、第一ボタン２ａの自動復帰機能に補助的に機能を加えたものである。即ち、第一実施形態においては、３種類の機能を備えたテレビ用リモコン１を形成したが、これに限定されるものではない。少なくとも自動復帰機能を備えるように、第一ボタン２ａのみを備えたものであってもよい。また、テレビ用リモコン１は、音声切替機能、字幕切替機能以外の機能を付加してもよい。また、押下手段２は、ボタン式、タッチパネル式等押下の形式は問うものではない。
【００１７】
制御装置Ｓは、第一実施形態においては、制御手段３と記憶手段４とを有する。
制御手段３は、図２に示すように、押下手段２から出力された出力信号を受信して、その信号に対応付けて予め記憶されている操作信号又は組合せ操作信号を記憶手段４から読み出して、送信手段５に送信している。制御手段３は、第一実施形態においては、ＰＩＣ（Peripheral Interface Controller）マイコンを用いている。なお、ＰＩＣマイコンは、あくまで例示であって、他の制御手段を用いてもよい。
なお、組合せ操作信号とは、テレビのチャンネルを切り替えるための信号を複数個組み合わせたものであって、設定画面、入力切替画面又はＢＭＬ信号テレビ画面から映像信号テレビ画面に復帰させるために、第一ボタン２ａの押下によって連続して送信される複数の信号である。
【００１８】
記憶手段４は、図２に示すように、制御手段３にアクセス可能に形成されており、自動復帰機能に係るプログラムや、音声切替機能及び字幕切替機能に係るプログラムが記憶されている。記憶手段４は、第一実施形態においては、例えば、ＲＯＭ（read only memory）又はＲＡＭ（Random Access Memory）を用いる。
【００１９】
自動復帰機能に係るプログラムは、押下手段２の第一ボタン２ａが押下された場合に、制御手段３に出力された出力信号と対応付けられた組合せ操作信号を制御手段３に出力するものである。
また、音声切替機能に係るプログラムは、押下手段２の第二ボタン２ｂが押下された場合に、制御手段３に出力された出力信号と対応付けられた操作信号を制御手段３に出力するものである。
また、字幕切替機能に係るプログラムは、押下手段２の第三ボタン２ｃが押下された場合に、制御手段３に出力された出力信号と対応付けられた操作信号を制御手段３に出力するものである。
【００２０】
ここで、自動復帰機能に係るプログラムについて詳細に説明する。表１は、例えば、図示しないテレビＹにおいて、地上デジタル放送の〔１ｃｈ〕を視聴した直後のテレビの各表示画面（＜１＞〜＜１３＞）から、再度地上デジタル放送の〔１ｃｈ〕に戻る場合の操作方法を示した一覧表である。なお、この場合の復帰操作は、図示しないテレビＹの既存のリモコンを用いるものとする。
【００２１】
【表１】
2008271402.tif 000003
【００２２】
表１に示すように、例えば、＜１＞データ放送画面から地上デジタル放送の〔１ｃｈ〕に戻る場合、利用者は、戻るボタンを押下することで復帰することができる。また、例えば、＜９＞かんたん登録画面から地上デジタル放送の〔１ｃｈ〕に戻る場合、戻るボタンを２回押下することで復帰することができる。また、例えば、＜１３＞データオンライン画面から地上デジタル放送の〔１ｃｈ〕に戻る場合、利用者は、データ放送ボタン（ｄボタン）を押下することで復帰することができる。
ここで、記憶手段４に記憶される各操作信号を、[  ]を用いて表す。例えば、データ放送ボタンに対応する操作信号は、[ｄ]、戻るボタンに対応する操作信号は、[戻る]、地上デジタルボタンに対応する操作信号は、[地Ｄ]、地上デジタル放送の〔１ｃｈ〕に対応する操作信号は、[１ｃｈ]とする。
【００２３】
即ち、表１に記載されたテレビの各表示画面＜１＞〜＜１３＞から、地上デジタル放送の〔１ｃｈ〕に戻る場合における操作信号は、少なくとも[ｄ]、[戻る]、[戻る]、[地Ｄ]、[１ｃｈ]の組合せで、操作信号が送信されれば実行される。
したがって、第一実施形態においては、記憶手段４には、第一ボタン２ａの押下によって、[ｄ]、[戻る]、[戻る]、[地Ｄ]、[１ｃｈ]の各操作信号が連続して送信されるように記憶されている。
【００２４】
なお、テレビの機能及び表示される画面は、テレビの機種によって異なるため、記憶手段４に記憶させる複数の操作信号の組合せや組み合わせる操作信号の数は、テレビの機種に応じて適宜設定すればよい。また、第一実施形態においては、必ず〔１ｃｈ〕に復帰するように構成したが、他のチャンネルに復帰するように構成してもよい。
また、テレビの機種によっては、復帰先のチャンネルに切り替えるまでに複数の信号を決められた順番で送信しなければならない場合がある。このような場合は、その順番に対応して、組合せ操作信号の送信する順番を設定すればよい。
【００２５】
一方、音声切替機能に係るプログラムは、第二ボタン２ｂのトグル動作により、音声切り替えを行う操作信号が出力されるように構成されている。具体的には、第二ボタン２ｂを押下するごとに、〔日本語〕→〔英語〕→〔日本語及び英語〕→〔日本語〕の切り替えが行われるように形成されている。
【００２６】
また、字幕切替機能に係るプログラムは、第三ボタン２ｃのトグル動作により、字幕表示及び非表示の切替を行う操作信号が出力されるように構成されている。具体的には、第三ボタン２ｃを押下するごとに、〔字幕ＯＮ〕→〔字幕ＯＦＦ〕→〔字幕ＯＮ〕となるように形成されている。
【００２７】
送信手段５は、図１及び図２に示すように、制御手段３から送信された組合せ操作信号を赤外線信号としてテレビに向けて出力する部分であって、第一実施形態においては、例えば、発光ダイオード（ＬＥＤ）を用いる。
【００２８】
図３は、第一実施形態に係るテレビ用リモコン１を示した回路図である。上記のように構成されたテレビ用リモコン１は、図３に示す回路図のように形成することができる。なお、当該回路図は、あくまで例示であって、本発明を限定するものではない。
【００２９】
次に、テレビ用リモコン１の作用について図４を用いて具体的に説明する。テレビは、前記したテレビＹ（図示せず）を用いるものとし、図４の四角枠はテレビ画面Ｔを表す。
図４に示すように、例えば、利用者が図示しないテレビの既存のリモコンを操作して、〔３ｃｈ〕（映像信号テレビ画面Ｐ）→〔１ｃｈ〕（映像信号テレビ画面Ｑ）→〔データ放送〕（ＢＭＬ信号テレビ画面Ｒ）とテレビ画面Ｔを切り替えた場合を想定する。
その後、利用者が、テレビ用リモコン１の第一ボタン２ａを押下すると、テレビ用リモコン１から連続して組合せ操作信号が送信される。即ち、この場合、[ｄ]、[戻る]、[戻る]、[地上デジタル]、[１ｃｈ]に対応する操作信号が連続して送信される。これにより、利用者は、第一ボタン２ａを一度押下するだけで〔１ｃｈ〕（所定の映像信号テレビ画面Ｑ）に戻ることができる。
【００３０】
なお、当該説明においては、〔データ放送〕を視聴した際に、テレビ用リモコン１を利用したが、前記した表１に示すように、＜２＞〜＜１３＞のいずれの表示画面においても、第一ボタン２ａを押下することで地上デジタル放送の〔１ｃｈ〕に自動復帰することができる。
【００３１】
以上説明したテレビ用リモコン１によれば、第一ボタン２ａを押下するだけで、複数の組合せ操作信号が送信されるため、所定の映像信号テレビ画面（第一実施形態においては地上デジタル放送の〔１ｃｈ〕）に自動復帰させることができる。即ち、例えば、デジタル放送特有のデータ画面等に移行して復帰操作がわからなくなった場合であっても、第一ボタン２ａを押下することで所定の映像信号テレビ画面に容易に自動復帰することができる。そのため、子供やお年寄り又はＡＶ機器に弱い人であっても安心してテレビ操作を行うことができる。
また、テレビ用リモコン１は、ボタンが３つしかない簡易な構造となっているため、利用者に心理的な圧迫感を与えず、安心して操作することができる。また、テレビ用リモコン１は、非常に簡易な構造となっているため、安価に大量生産することができる。また、自動復帰機能に加えて、音声切替機能及び字幕切替機能も有するため、利便性をさらに高めることができる。
【００３２】
[第二実施形態]
図５は、本発明の第二実施形態を示したブロック図である。第二実施形態に係るテレビ用リモコン１０は、制御装置Ｓに復帰画面設定手段６を備えた点で、第一実施形態と相違する。
復帰画面設定手段６は、図５に示すように、記憶手段４に接続されており、自動復帰機能が作用する際に、所望のチャンネルに復帰するように設定するものである。
即ち、具体的な図示はしないが図１を参照して説明すると、テレビ用リモコン１０は、本体部Ｇに、例えば、「設定ボタン」を設置する。設定ボタンは、任意の映像信号テレビ画面で設定ボタンを押下すると、所望のチャンネルを自動復帰先のチャンネルとして記憶手段４に記憶するように形成されている。
【００３３】
また、図４を参照して説明すると、利用者が、〔３ｃｈ〕（映像信号テレビ画面Ｐ）上で「設定ボタン」を押下すると、記憶手段４に当該〔３ｃｈ〕が記憶される。これにより、利用者が〔３ｃｈ〕（映像信号テレビ画面Ｐ）→〔１ｃｈ〕（映像信号テレビ画面Ｑ）→〔データ放送〕（ＢＭＬ信号テレビ画面）を画面を切り替えた後に、第一ボタン２ａを押下すると、常に、設定した〔３ｃｈ〕（映像信号テレビ画面Ｐ）に自動復帰するように形成されている。これにより、自動復帰先の画面を適宜所望のチャンネルに設定することができる。
【００３４】
なお、「設定ボタン」は、誤って押下することのないように、第一ボタン２ａ〜第三ボタン２ｃよりも小さく形成してもよい。復帰画面設定手段６は、前記した構成に限定するものではないが、操作するボタンの数はできる限り少なく、簡易な構成とするのが好ましい。
【００３５】
以上、本発明の実施形態について説明したが、本発明は前記した構成に限定されるものではなく、本発明の趣旨に反しない範囲において適宜変更が可能である。
【図面の簡単な説明】
【００３６】
【図１】第一実施形態に係るテレビ用リモコンを備えた平面図である。
【図２】第一実施形態に係るテレビ用リモコンのブロック図である。
【図３】第一実施形態に係るテレビ用リモコンを示した回路図である。
【図４】テレビ画面の切り替え状態を示した模式図である。
【図５】第二実施形態に係るテレビ用リモコンのブロック図である。
【符号の説明】
【００３７】
１      テレビ用リモコン
２      押下手段
２ａ    第一ボタン
２ｂ    第二ボタン
２ｃ    第三ボタン
３      制御手段
４      記憶手段
５      送信手段
６      復帰画面設定手段
【図１】
2008271402.tif 000004
【図２】
2008271402.tif 000005
【図３】
2008271402.tif 000006
【図４】
2008271402.tif 000007
【図５】
2008271402.tif 000008